(57)【要約】【課題】前後方向の中間部において防漏壁部と吸収性本体とを接合する中間固定部が剥がれ難い吸収性物品を提供する。【解決手段】吸収性本体（１０）と一対の防漏壁部（４０）とを有する吸収性物品（１）であって、展開した状態において、互いに交差する前後方向と左右方向とを有し、吸収性本体（１０）の前後方向における前側端部には、前側固定部（５１）が設けられ、後側端部には、後側固定部（５２）が設けられ、前側固定部（５１）と後側固定部（５２）との間に、中間固定部（５３）が設けられており、中間固定部（５３）では、肌側シート（１２）と防漏壁部（４０）との間に所定の接着剤が設けられ、接着剤の少なくとも一部は肌側シート（１２）に含浸しており、肌側シート（１２）には、厚さ方向に肌側シート（１２）が圧搾された圧搾部（６０）が複数設けられており、厚さ方向において、接着剤と圧搾部（６０）とが重複する部分を有している。【選択図】図５
2020000656.tif 000002
【特許請求の範囲】
【請求項１】
吸収性コアと、前記吸収性コアよりも肌側に配置された親水性の肌側シートと、を備えた吸収性本体と、
一対の防漏壁部と、
を有する吸収性物品であって、
前記吸収性物品を展開した状態において、
前記吸収性本体は、互いに交差する前後方向と左右方向と厚さ方向とを有し、
前記一対の防漏壁部は、前記吸収性本体の前記左右方向の両側に設けられており、
前記吸収性本体の前記前後方向における前側端部には、前記防漏壁部を起立不能に固定する前側固定部が設けられ、
前記吸収性本体の前記前後方向における後側端部には、前記防漏壁部を起立不能に固定する後側固定部が設けられ、
前記前後方向において、前記前側固定部と前記後側固定部との間に、前記防漏壁部を前記肌側シートに固定する中間固定部が設けられており、
前記中間固定部では、前記肌側シートと前記防漏壁部との間に所定の接着剤が設けられ、前記接着剤の少なくとも一部は前記肌側シートに含浸しており、
前記肌側シートには、前記厚さ方向に前記肌側シートが圧搾された圧搾部が複数設けられており、
前記厚さ方向において、前記接着剤と前記圧搾部とが重複する部分を有している、ことを特徴とする吸収性物品。
【請求項２】
請求項１に記載の吸収性物品であって、
前記厚さ方向において、前記接着剤は、前記圧搾部の肌側の端と重複し、前記圧搾部の非肌側の端と重複していない、ことを特徴とする吸収性物品。
【請求項３】
請求項１に記載の吸収性物品であって、
前記厚さ方向において、前記接着剤は、前記圧搾部の全体と重複している、ことを特徴とする吸収性物品。
【請求項４】
請求項３に記載の吸収性物品であって、
前記吸収性コアを被覆するコアラップシートを有し、
前記厚さ方向において、前記接着剤は、前記コアラップシートと重複する部分を有している、ことを特徴とする吸収性物品。
【請求項５】
請求項３または４に記載の吸収性物品であって、
前記厚さ方向において、前記接着剤は、前記肌側シートのうち前記吸収性コアよりも非肌側に配置された部分と重複していない、ことを特徴とする吸収性物品。
【請求項６】
請求項１〜５のいずれか１項に記載の吸収性物品であって、
前記厚さ方向において、前記接着剤は、前記防漏壁部の肌側の表面と重複していない、ことを特徴とする吸収性物品。
【請求項７】
請求項１〜６のいずれか１項に記載の吸収性物品であって、
前記中間固定部の前記左右方向における幅は、
複数の前記圧搾部の前記左右方向におけるピッチよりも長い、ことを特徴とする吸収性物品。
【請求項８】
請求項１〜７のいずれか１項に記載の吸収性物品であって、
前記左右方向において、前記中間固定部の外側端と前記防漏壁部の外側端との間には所定の隙間が設けられている、ことを特徴とする吸収性物品。
【請求項９】
請求項１〜８のいずれか１項に記載の吸収性物品であって、
前記左右方向において、前記中間固定部の内側端と前記防漏壁部の内側端との間には所定の隙間が設けられている、ことを特徴とする吸収性物品。
【請求項１０】
請求項１〜９のいずれか１項に記載の吸収性物品であって、
前記吸収性コアは、前記前後方向の中央部において、端部に比べて前記左右方向の幅が狭いくびれ部を有し、
前記中間固定部の少なくとも一部は、前記左右方向において、前記くびれ部と並び、かつ、前記くびれ部の外側に配置されている、ことを特徴とする吸収性物品。
【発明の詳細な説明】
【技術分野】
【０００１】
本発明は、吸収性物品に関する。
【背景技術】
【０００２】
パンツ型吸収性物品として、パンツ型使い捨ておむつが知られている。特許文献１には、外側シート部材と、外側シート部材の肌面側に接合される吸収性本体と、吸収性本体の幅方向両側端部それぞれから延びるサイドシートを備えたパンツ型使い捨ておむつが開示されている。特許文献１のおむつでは、吸収性本体の長手方向における、サイドシートのほぼ全長にわたって、起立用弾性部材（３８，３９）が伸長した状態で取り付けられている。そして、起立用弾性部材の収縮によってサイドシートが着用者の肌側に立ち上がり、所謂防漏壁として機能する。
【先行技術文献】
【特許文献】
【０００３】
【特許文献１】特開２０１０−９４３３４号
【発明の概要】
【発明が解決しようとする課題】
【０００４】
特許文献１のおむつでは、サイドシート（防漏壁）の長手方向の中途部分において、吸収性本体のトップシートにサイドシートを固定する固定部（接合部位４１ｃ）が設けられている。このような固定部は、ホットメルト接着剤等の接着剤を用いて形成することが一般的である。しかしながら、特許文献１のように固定部が着用者の股間部付近（吸収性本体の前後方向の中間部）に配置されている場合、摩擦や湿潤の影響を受けて固定部が剥がれやすく、吸収性本体（トップシート）とサイドシート（防漏壁）とを強固に接合することが困難であった。
【０００５】
本発明は、上記のような従来の問題に鑑みてなされたものであって、その目的は、前後方向の中間部において防漏壁部と吸収性本体とを接合する中間固定部が剥がれ難い吸収性物品を提供することにある。
【課題を解決するための手段】
【０００６】
上記目的を達成するための主たる発明は、吸収性コアと、前記吸収性コアよりも肌側に配置された親水性の肌側シートと、を備えた吸収性本体と、一対の防漏壁部と、を有する吸収性物品であって、前記吸収性物品を展開した状態において、前記吸収性本体は、互いに交差する前後方向と左右方向と厚さ方向とを有し、前記一対の防漏壁部は、前記吸収性本体の前記左右方向の両側に設けられており、前記吸収性本体の前記前後方向における前側端部には、前記防漏壁部を起立不能に固定する前側固定部が設けられ、前記吸収性本体の前記前後方向における後側端部には、前記防漏壁部を起立不能に固定する後側固定部が設けられ、前記前後方向において、前記前側固定部と前記後側固定部との間に、前記防漏壁部を前記肌側シートに固定する中間固定部が設けられており、前記中間固定部では、前記肌側シートと前記防漏壁部との間に所定の接着剤が設けられ、前記接着剤の少なくとも一部は前記肌側シートに含浸しており、前記肌側シートには、前記厚さ方向に前記肌側シートが圧搾された圧搾部が複数設けられており、前記厚さ方向において前記接着剤と前記圧搾部とが重複する部分を有している、ことを特徴とする吸収性物品である。
本発明の他の特徴については、本明細書及び添付図面の記載により明らかにする。
【発明の効果】
【０００７】
本発明によれば、前後方向の中間部において、防漏壁部と吸収性本体とを接合する中間固定部が剥がれ難い吸収性物品を提供することができる。
【図面の簡単な説明】
【０００８】
【図１】おむつ１の概略正面図である。
【図２】展開かつ伸長状態のおむつ１の概略平面図である。
【図３】図２のＩＩ線での概略断面図である。
【図４】図４Ａ及び図４Ｂは、肌側シート１２に設けられた圧搾部６０の配置例について説明する図である。
【図５】おむつ１において、肌側シート１２の肌側面に中間固定部５３が設けられた状態について表す概略断面図である。
【図６】比較例において、肌側シート１２の肌側面に中間固定部５３が設けられた状態について表す概略断面図である。
【図７】図７は、比較例の中間固定部５３が肌側シート１２から剥がれる様子について説明する概略断面図である。
【発明を実施するための形態】
【０００９】
本明細書及び添付図面の記載により、少なくとも以下の事項が明らかとなる。
吸収性コアと、前記吸収性コアよりも肌側に配置された親水性の肌側シートと、を備えた吸収性本体と、一対の防漏壁部と、を有する吸収性物品であって、前記吸収性物品を展開した状態において、前記吸収性本体は、互いに交差する前後方向と左右方向と厚さ方向とを有し、前記一対の防漏壁部は、前記吸収性本体の前記左右方向の両側に設けられており、前記吸収性本体の前記前後方向における前側端部には、前記防漏壁部を起立不能に固定する前側固定部が設けられ、前記吸収性本体の前記前後方向における後側端部には、前記防漏壁部を起立不能に固定する後側固定部が設けられ、前記前後方向において、前記前側固定部と前記後側固定部との間に、前記防漏壁部を前記肌側シートに固定する中間固定部が設けられており、前記中間固定部では、前記肌側シートと前記防漏壁部との間に所定の接着剤が設けられ、前記接着剤の少なくとも一部は前記肌側シートに含浸しており、前記肌側シートには、前記厚さ方向に前記肌側シートが圧搾された圧搾部が複数設けられており、前記厚さ方向において、前記接着剤と前記圧搾部とが重複する部分を有している、ことを特徴とする吸収性物品。
【００１０】
このような吸収性物品によれば、中間固定部を形成する接着剤が、肌側シートに設けられた圧搾部と一体化して固着することによって接合強度が強くなり、中間固定部が肌側シートから剥がれ難くなる。これにより、吸収性物品の着用時に、着用者の身体との摩擦や、尿等の排泄物による湿潤による影響を受けたとしても、防漏壁部と吸収性本体との接合が維持されやすくなる。
【００１１】
かかる吸収性物品であって、前記厚さ方向において、前記接着剤は、前記圧搾部の肌側の端と重複し、前記圧搾部の非肌側の端と重複していない、ことが望ましい。
【００１２】
このような吸収性物品によれば、厚さ方向において、少なくとも肌側シートの非肌側端には接着剤が含浸しないため、肌側シートが過度に固くなることが抑制され、吸収性本体が柔らかな風合いを保ちやすくなる。これにより、吸収性物品の着用時において、着用者に不快感を与え難くすることができる。
【００１３】
かかる吸収性物品であって、前記厚さ方向において、前記接着剤は、前記圧搾部の全体と重複している、ことが望ましい。
【００１４】
このような吸収性物品によれば、厚さ方向において、圧搾部の全体が接着剤と一体化して固着するため、中間固定部と肌側シートとの接合強度がより強固となる。したがって、該中間固定部に対して大きな負荷（摩擦）がかかったり、尿等の排泄物と接触する頻度が高かったりする場合であっても、防漏壁部と吸収性本体との接合が維持されやすくなる。
【００１５】
かかる吸収性物品であって、前記吸収性コアを被覆するコアラップシートを有し、前記厚さ方向において、前記接着剤は、前記コアラップシートと重複する部分を有している、ことが望ましい。
【００１６】
このような吸収性物品によれば、肌側シートと、該肌側シートの厚さ方向に積層されたコアラップシートとを接合し、該コアラップシートを固定することができる。これにより、コアラップシートに被覆された吸収性コアの型崩れや位置ずれが生じ難くなり、吸収性本体のフィット性や吸収性能を向上させることができる。
【００１７】
かかる吸収性物品であって、前記厚さ方向において、前記接着剤は、前記肌側シートのうち前記吸収性コアよりも非肌側に配置された部分と重複していない、ことが望ましい。
【００１８】
このような吸収性物品によれば、肌側シートのうち吸収性コアよりも非肌側に配置された部分から左右方向の外側に向かって接着剤が染み出してしまうことが抑制される。これにより、着用者の身体や衣服に接着剤が付着してしまうことを抑制できる。
【００１９】
かかる吸収性物品であって、前記厚さ方向において、前記接着剤は、前記防漏壁部の肌側の表面と重複していない、ことが望ましい。
【００２０】
このような吸収性物品によれば、防漏壁部の肌側表面まで接着剤が含浸し、該防漏壁部の肌側表面から染み出した接着剤が着用者の身体に付着してしまうことを抑制できる。
【００２１】
かかる吸収性物品であって、前記中間固定部の前記左右方向における幅は、複数の前記圧搾部の前記左右方向におけるピッチよりも長い、ことが望ましい。
【００２２】
このような吸収性物品によれば、肌側シートから中間固定部を引き剥がす方向に力が作用した場合であっても、２カ所以上の圧搾部によって当該引き剥がす力に抗することができるようになる。したがって、肌側シートと中間固定部との接合強度をより高めることができる。
【００２３】
かかる吸収性物品であって、前記左右方向において、前記中間固定部の外側端と前記防漏壁部の外側端との間には所定の隙間が設けられている、ことが望ましい。
【００２４】
このような吸収性物品によれば、防漏壁部の左右方向外側端部（エッジ部）に空間が形成されることにより、当該エッジ部の硬さが軽減され、吸収性物品の着用時において、着用者の身体（鼠径部）への肌当たりが柔らかくなる。したがって、より良好なフィット性を実現することができる。
【００２５】
かかる吸収性物品であって、前記左右方向において、前記中間固定部の内側端と前記防漏壁部の内側端との間には所定の隙間が設けられている、ことが望ましい。
【００２６】
このような吸収性物品によれば、左右方向において中間固定部の全領域が防漏壁部によって覆われ、中間固定部を形成する接着剤が外部に露出し難くなる。したがって、吸収性物品の着用時において、露出した接着剤が着用者の身体や衣服に付着してしまうことを抑制することができる。
【００２７】
かかる吸収性物品であって、前記吸収性コアは、前記前後方向の中央部において、端部に比べて前記左右方向の幅が狭いくびれ部を有し、前記中間固定部の少なくとも一部は、前記左右方向において、前記くびれ部と並び、かつ、前記くびれ部の外側に配置されている、ことが望ましい。
【００２８】
このような吸収性物品によれば、中間固定部と吸収性コアとが重複しないように配置することにより、くびれ部の肌側面が防漏壁部及び中間固定部によって覆われてしまうことが抑制される。これにより、くびれ部において吸収性コアの吸収面積がさらに小さくなってしまうことを抑制し、吸収性コアの吸収能力を維持しやくすることができる。
【００２９】
＝＝＝実施形態＝＝＝
以下、本発明に係る吸収性物品として、大人用のパンツ型使い捨ておむつ（以下、「おむつ１」とも呼ぶ）を例に挙げて実施形態を説明する。ただし、本発明に係る吸収性物品は、乳幼児用の使い捨ておむつや、生理用ショーツ等としても利用可能である。
【００３０】
＜おむつ１の構成＞
図１は、おむつ１の概略正面図である。図２は、展開かつ伸長状態のおむつ１の概略平面図である。図３は、図２のＩＩ線での概略断面図である。なお、おむつ１の「伸長状態」とは、おむつ１全体（製品全体）を皺なく伸長させた状態、具体的には、おむつ１を構成する各部材（例えば、後述する吸収性本体１０や，胴回り部２０，３０等）の寸法がその部材単体の寸法と一致又はそれに近い寸法になるまで伸長させた状態のことを言う。
【００３１】
おむつ１は、図１に示されるパンツ型状態において、互いに交差する上下方向と左右方向と前後方向とを有し、胴回り開口部ＢＨと一対の脚回り開口部ＬＨとを有している。上下方向の上側が胴回り開口部ＢＨ側に対応し、下側が股下側に対応する。また、前後方向の前側が着用者の腹側に対応し、後側が着用者の背側に対応する。また、図２の展開状態においては、おむつ１は、互いに交差する前後方向と左右方向とを有する。前後方向は、吸収性本体１０の長手方向に相当する。また、図３に示すように、おむつ１を構成する資材が積層された方向を厚さ方向と言う。厚さ方向において着用者に接する側を肌側とし、その反対側を非肌側とする。
【００３２】
おむつ１は、吸収性本体１０と、腹側胴回り部２０と、背側胴回り部３０とを有する。パンツ型状態のおむつ１において、吸収性本体１０（後述の吸収性コア１１）は上下方向に沿って配置されており、上下方向の下端部にて前後に折り曲げられている。そして、前後方向の前側の吸収性本体１０の上端部に、非肌側から腹側胴回り部２０が接合され、前後方向の後側の吸収性本体１０の上端部に、非肌側から背側胴回り部３０が接合されている。
【００３３】
図２の展開状態のおむつ１において、腹側胴回り部２０及び背側胴回り部３０は、それらの長手方向がおむつ１の左右方向に沿うように配置されている。そして、左右方向における腹側胴回り部２０の中央部に、吸収性本体１０の長手方向の一方側（前後方向の前側）の端部が配置され、左右方向における背側胴回り部３０の中央部に、吸収性本体１０の長手方向の他方側（前後方向の後側）の端部が配置されている。図２の展開状態から、吸収性本体１０が前後方向（長手方向）の略中央で二つ折りされ、左右方向における腹側胴回り部２０の両側部と、左右方向における背側胴回り部３０の両側部とが、溶着等で接合されることにより、パンツ型状態のおむつ１となる。
【００３４】
吸収性本体１０は、排泄液を吸収する吸収性コア１１と、吸収性コア１１よりも着用者の肌側に配置された親水性の肌側シート１２と、吸収性コア１１よりも非肌側に配置された液不透過性の非肌側シート１３と、シート部材１４とを有する。肌側シート１２は、吸収性コア１１を巻き込むように、左右方向の両側部が非肌側に折り返されている。シート部材１４は、非肌側シート１３よりも非肌側に配置されるとともに、肌側シート１２よりも肌側において防漏壁部４０を形成している。
【００３５】
吸収性コア１１は、高吸収性ポリマー（所謂ＳＡＰ）を含むパルプ繊維等の液体吸収性繊維を所定形状に成形したものである。また、吸収性コア１１は、液透過性のコアラップシート１５によって被覆されていても良い。
【００３６】
また、本実施形態の吸収性コア１１は、前後方向の中央部において、前側端部及び後側端部と比較して左右方向における長さが短くなった（幅が狭くなった）くびれ部１１Ｃを有しており、図２に示されるように平面視略砂時計型の形状となっている。このくびれ部１１Ｃは、おむつ１の着用時において着用者の両脚の間に挟まれる部分であり、当該部分の左右方向における長さが短く（幅が狭く）なっていることにより、吸収性コア１１が着用者の股間にフィットしやすくなる。
【００３７】
腹側胴回り部２０及び背側胴回り部３０は、それぞれ、内層シート２１，３１と、内層シート２１，３１よりも非肌側に配置された外層シート２２，３２と、胴回り弾性部材２３，３３とを有する。胴回り弾性部材２３，３３は、内層シート２１，３１と外層シート２２，３２の間において、上下方向に並んで配置されるとともに、左右方向に伸長状態で固定されている。よって、腹側胴回り部２０及び背側胴回り部３０は、着用者の胴回りにフィットする。また、吸収性本体１０の上端部を肌側から覆うカバーシート（不図示）が設けられていても良い。
【００３８】
図２の展開かつ伸長状態において、腹側胴回り部２０は平面視矩形状である。背側胴回り部３０は、前後方向において腹側胴回り部２０と重複する重複部３０Ａと、腹側胴回り部２０よりも下側に延出する延出部３０Ｂとを有する。重複部３０Ａは平面視矩形状であり、延出部３０Ｂは平面視逆台形状である。延出部３０Ｂによって着用者の臀部を被覆できる。一方、腹側胴回り部２０は、背側胴回り部３０に比べて上下方向の長さが短く、股下側まで延びていない。そのため、歩行時等に腹側に引き上げられる脚の動きが阻害されず、歩行しやすい。
【００３９】
また、背側胴回り部３０の延出部３０Ｂには、その下端に沿って延出部弾性部材３５が設けられている。延出部弾性部材３５は、具体的には、下側に向かって左右方向の内側に傾いて配置された一対の傾斜部３５１と、一対の傾斜部３５１の間において左右方向に沿って配置された直線部３５２とを有する。延出部弾性部材３５は、胴回り弾性部材３３と同様に、内層シート３１と外層シート３２の間において伸長状態で固定されている。延出部弾性部材３５によって、延出部３０Ｂは着用者の臀部にフィットし、延出部３０Ｂのめくれを抑えられる。
【００４０】
ただし、上記に限らない。例えば、腹側胴回り部２０が、背側胴回り部３０と同じ平面形状であり、背側胴回り部３０の延出部弾性部材３５と同様の弾性部材を備えていても良い。すなわち、腹側胴回り部２０が、下端部において、下側に向かって左右方向の内側に傾く傾斜弾性部材を備えていても良い。また、逆に、背側胴回り部３０が、腹側胴回り部２０と同じ平面視矩形状であり、延出部弾性部材３５を備えていなくても良い。
【００４１】
吸収性本体１０の左右方向の両側部には、前後方向（吸収性本体１０の長手方向）に沿って一対の防漏壁部４０が設けられている。本実施形態において、一対の防漏壁部４０は、それぞれ、吸収性本体１０の外装を構成するシート部材１４が、図３のように複数個所にて折り曲げられることによって形成されている。具体的には、図３の折り曲げ位置ｆ１にて折り曲げられ、２層に重ねられたシート部材１４が、折り曲げ位置ｆ２及び折り曲げ位置ｆ３にてさらに折り曲げられている。これにより、断面略Ｓ字状に折り曲げられた防漏壁部４０が形成される。
【００４２】
この防漏壁部４０のうち、折り曲げ線ｆ１とｆ２の間の部位を「肌側部４２」とし、肌側部４２よりも非肌側に配置され、折り曲げ線ｆ２とｆ３の間の部位を「非肌側部４３」とする。肌側部４２は非肌側部４３に対して左右方向の外側に折り曲げられた部位である。
【００４３】
そして、防漏壁部４０において、積層された２枚のシート部材１４，１４の間には、所定の伸縮部材が吸収性本体１０の前後方向（おむつ１の上下方向に相当）に伸長した状態で固定されている。本実施形態では、伸縮部材として、糸ゴム等の複数の防漏壁伸縮部材４１が左右方向に並んで複数配置されている。おむつ１の着用時には、防漏壁伸縮部材４１（伸縮部材）が発現する伸縮性に基づいて、防漏壁部４０が吸収性本体１０の前後方向に沿って収縮するとともに着用者の肌側に起立し、着用者の股間部にフィットする。
【００４４】
なお、防漏壁部４０は、吸収性本体１０の前後方向における前側端部に設けられた前側固定部５１によって、該前側端部においては起立不能に固定されている。同様に、防漏壁部４０は、吸収性本体１０の前後方向における後側端部に設けられた後側固定部５２によって、該後側端部においては起立不能に固定されている（図２参照）。
【００４５】
したがって、防漏壁部４０は、吸収性本体１０の前後方向において、前側固定部５１と後側固定部５２の間の領域で着用者の肌側に起立可能となる。また、例えば着用者が寝姿勢である場合に、防漏壁部４０で堰き止めた排泄液が前後に流れたとしても、前側固定部５１及び後側固定部５２によって排泄液を堰き止めることができ、前漏れや後ろ漏れを抑制できる。
【００４６】
また、吸収性本体１０の前後方向において、前側固定部５１と後側固定部５２との間には、防漏壁部４０を吸収性本体１０の肌側シート１２に固定する中間固定部５３が設けられている。本実施形態の中間固定部５３は、図２のように、前側固定部５１及び後側固定部５２と前後方向に間隔を空けて設けられている。つまり、吸収性本体１０には、おむつ１を展開かつ伸長した状態において、前側固定部５１、中間固定部５３、及び、後側固定部５２が、前後方向に間欠的に配置されている。なお、前側固定部５１、後側固定部５２及び中間固定部５３は、いずれもホットメルト接着剤等の接着剤によって形成されている。
【００４７】
前後方向において、中間固定部５３が設けられている部分では、防漏壁部４０の非肌側部４３が肌側シート１２に固定されているため（図３参照）、肌側部４２のみが肌側に起立可能となる。すなわち、中間固定部５３が設けられている部分では、防漏壁部４０の起立可能な高さが制限され、おむつ１着用時において吸収性本体１０と着用者の肌との間の間隔を狭くすることができる。したがって、中間固定部５３の配置や大きさを適当に調整することにより、おむつ１の脚回りにおけるフィット性や、排泄物の吸収性能を変更することができる。
【００４８】
＜中間固定部５３について＞
図３で説明したように、おむつ１では、吸収性本体１０（肌側シート１２）の肌側面と、防漏壁部４０（シート部材１４）の非肌側面とが、中間固定部５３によって接合されている。この中間固定部５３は、おむつ１の着用時において着用者の股下部付近に位置するため、着用者が身体を動かしたときに生じる摩擦や、排尿（液体）による湿潤の影響を受けやすい。そして、このような影響を受けると、中間固定部５３が剥がれて防漏壁部４０が吸収性本体１０から離脱してしまうおそれがある。
【００４９】
また、従来、このように肌側シート１２と防漏壁部４０とを接合する場合には、十分な接合強度を得ることが困難であり、中間固定部５３は、肌側シート１２との界面において剥離を生じやすかった。肌側シート１２は、油剤を含む親水性のスパンボンド不織布やポイントボンド不織布によって形成されており、中間固定部５３を構成する接着剤と肌側シート１２（親水性不織布）の表面繊維との界面接合だけでは十分な接合強度が得られ難いためである。
【００５０】
なお、防漏壁部４０を構成しているシート部材１４は、尿等の染み出しを抑制するために、油剤を含まない疎水性のＳＭＳ（スパンボンド‐メルトブローン‐スパンボンド）不織布や、フィルム等によって形成されている。したがって、中間固定部５３を構成する接着剤とシート部材１４との界面接合の強度は、該接着剤と肌側シート１２との界面接合の強度よりも強く、中間固定部５３と防漏壁部４０との間では、十分な接合強度が得られやすい。
【００５１】
そこで、おむつ１では、中間固定部５３と肌側シート１２との接合強度を十分に高めることによって、防漏壁部４０が吸収性本体１０から離脱してしまうことを抑制している。以下、本実施形態における中間固定部５３の構造について説明する。
【００５２】
先ず、肌側シート１２の構造について簡単に説明する。肌側シート１２は、市販の親水性不織布であり、その表面には複数の圧搾部６０が設けられている。圧搾部６０は、エンボス加工等の公知の圧搾手段を用いて、肌側シート１２を厚さ方向の一方側から他方側に圧搾することによって形成されている。当該圧搾部６０によって圧搾された箇所では肌側シート１２の繊維密度が部分的に高くなり、剛性が高くなっている。
【００５３】
図４Ａ及び図４Ｂは、肌側シート１２に設けられた圧搾部６０の配置例について説明する図である。図４Ａの例では、複数の矩形状の圧搾部６０が、所謂千鳥状の配置パターンで配置されている。各々の圧搾部６０の大きさは、矩形状の或る一辺の長さ（第１方向長さとする）をＬ６０、当該或る辺と直交する他の一辺の長さ（第２方向長さとする）をＷ６０とすると、Ｌ６０，Ｗ６０はいずれも０．４ｍｍ以上、１．２ｍｍ以下程度である（０．４ｍｍ≦Ｌ６０，Ｗ６０≦１．２ｍｍ）。また、左右方向に隣り合う２つの圧搾部６０，６０の中心間距離（すなわち左右方向におけるピッチ）Ｐ６０は１．５ｍｍ以上、３．０ｍｍ以下程度である（１．５ｍｍ≦Ｐ６０≦３．０ｍｍ）。
【００５４】
また、図４Ｂの例では、楕円形状の圧搾部６０が千鳥状の配置パターンで配置されている。楕円の長辺方向長さ（第１方向長さ）をＬ６０、楕円の短辺方向長さ（第２方向長さ）をＷ６０とすると、Ｌ６０，Ｗ６０はいずれも図４Ａの場合と同様、０．４ｍｍ以上、１．２ｍｍ以下である（０．４ｍｍ≦Ｌ６０，Ｗ６０≦１．２ｍｍ）。また、左右方向における中心間距離（ピッチ）Ｐ６０も図４Ａの場合と同様、１．５ｍｍ以上、３．０ｍｍ以下程度である（１．５ｍｍ≦Ｐ６０≦３．０ｍｍ）。但し、圧搾部６０の形状や配置パターンは、これらの例に限られない。例えば、圧搾部６０が円形や多角形であっても良いし、格子状やその他の配置パターンで配置されていても良い。
【００５５】
このような複数の圧搾部６０を有する肌側シート１２の表面に、中間固定部５３（接着剤）が設けられる。図５は、本実施形態のおむつ１において、肌側シート１２の肌側面に中間固定部５３が設けられた状態について表す概略断面図である。図６は、比較例において、肌側シート１２の肌側面に中間固定部５３が設けられた状態について表す概略断面図である。同図５及び図６は、肌側シート１２と中間固定部５３との厚さ方向における接合状態を表したものであり、説明の簡略化のため、防漏壁部４０については非表示としている。
【００５６】
上述したように、肌側シート１２は、圧搾部６０によって厚さ方向に圧搾されている。したがって、図５及び図６に示されるように、肌側シート１２のうち黒塗りで表される圧搾部６０が形成されている部分の厚さｔ６０は、肌側シート１２のうち圧搾部６０が形成されていない部分の厚さｔ１２よりも薄くなっている。すなわち、厚さ方向において、肌側シート１２の肌側の端（肌側表面）１２ｓよりも圧搾部６０の肌側の端６０ｓの方が非肌側に位置しており、両者の間には間隔ｄｇ（＝ｔ１２−ｔ６０）が設けられている。
【００５７】
なお、図５及び図６では、肌側シート１２の非肌側の端（非肌側表面）１２ｂと圧搾部６０の非肌側の端６０ｂとが、厚さ方向において同じ位置にあるが、非肌側端６０ｂが非肌側端１２ｂよりも肌側に位置していても良い。すなわち、厚さ方向において非肌側端１２ｂと非肌側端６０ｂとの間に、肌側における間隔ｄｇに相当する所定の間隔が設けられていても良い。
【００５８】
そして、肌側シート１２の肌側面には、斜線で示される中間固定部５３が設けられ、該中間固定部５３を形成する接着剤の一部が、肌側シート１２に対して厚さ方向に含浸している。ここで、「含浸」とは、布や紙などに、薬品・樹脂や水などの液体を浸して含ませることを言う。本実施形態では、図５に示されるように、肌側シート１２のうち圧搾部６０が設けられている部分まで、中間固定部５３を形成する接着剤が含浸している。つまり、厚さ方向において、接着剤と圧搾部６０とが重複する部分を有している。
【００５９】
一方、比較例の図６では、中間固定部５３を形成する接着剤が、肌側シート１２のうち厚さ方向における間隔ｄｇの部分までしか含浸していない。すなわち、比較例では、厚さ方向において、接着剤と圧搾部６０とが重複しておらず、肌側シート１２の肌側表面に近い領域にのみ接着剤が設けられている。この場合、中間固定部５３は十分な接合強度が得られず、肌側シート１２から剥がれやすくなる。
【００６０】
図７は、比較例の中間固定部５３が肌側シート１２から剥がれる様子について説明する図である。比較例において、肌側シート１２から中間固定部５３を引き剥がす方向に力が作用すると、肌側シート１２の表面層の繊維が千切れ、図７のように、千切れた表面層の繊維のみが中間固定部５３を形成する接着剤と共に肌側シート１２から離脱する。したがって、比較例における中間固定部５３の接合強度は、肌側シート１２の表面層の繊維の剥がれやすさに依存し、十分な接合強度を得ることは難しい。
【００６１】
これに対して、本実施形態の中間固定部５３では、圧搾部６０まで接着剤が含浸しているため、肌側シート１２から中間固定部５３を引き剥がす方向に力が作用したとしても、該圧搾部６０によって繊維が剥がれてしまうことが抑制される。つまり、肌側シート１２から中間固定部５３を剥がすためには、圧搾部６０を破壊して、破壊された圧搾部６０ごと繊維を剥ぎ取る必要がある。したがって、本実施形態における中間固定部５３の接合強度は、肌側シート１２の圧搾部６０における材料破壊強度と同等となり、比較例における中間固定部５３と比較して、十分に強い接合強度を得ることができる。
【００６２】
このように、本実施形態のおむつ１では、中間固定部５３を形成する接着剤が、肌側シート１２の厚さ方向において圧搾部６０と重複する位置まで含浸し、肌側シート１２の圧搾部６０と接着剤とが一体化して固着しているため、中間固定部５３が剥がれ難くなっている。これにより、おむつ１の着用時に、該中間固定部５３が設けられている股下部付近の領域において、着用者の身体との摩擦や、尿等の排泄物による湿潤による影響を受けたとしても、防漏壁部４０と吸収性本体１０（肌側シート１２）との接合が維持されやすくなる。
【００６３】
なお、図５の状態では、中間固定部５３を形成する接着剤が、厚さ方向において圧搾部６０の肌側の端６０ｓとは重複しているが、非肌側の端６０ｂとは重複していない。言い換えると、中間固定部５３を形成する接着剤は、厚さ方向において圧搾部６０の厚さｔ６０の途中の位置まで含浸しており、圧搾部６０の全体、つまり肌側シート１２の全体に含浸しているわけではない。したがって、接着剤によって肌側シート１２が過度に硬くなることが抑制され、吸収性本体１０（肌側シート１２）が柔らかな風合いを保ちやすくなる。これにより、おむつ１着用時において、着用者に不快感を与え難くすることができる。
【００６４】
一方、中間固定部５３を形成する接着剤が、厚さ方向において圧搾部６０の全体と重複するようにしても良い。すなわち、接着剤が圧搾部６０の非肌側の端６０ｂと重複するようにしても良い。この場合、圧搾部６０の厚さｔ６０の全体が接着剤と一体化して固着するため、中間固定部５３と肌側シート１２との接合強度がより強固となる。したがって、該中間固定部５３により大きな負荷（摩擦）がかかったり、尿等の排泄物と接触する頻度が高かったりする場合であっても、防漏壁部４０と吸収性本体１０との接合を維持しやすい。
【００６５】
厚さ方向において接着剤が圧搾部６０の全体と重複する場合、当該接着剤は肌側シート１２の非肌側表面（図５における非肌側の端１２ｂ）まで含浸していることになる。このとき、接着剤がさらにコアラップシート１５まで含浸していても良い。すなわち、接着剤が厚さ方向においてコアラップシート１５と重複する部分を有していても良い。図３に示すように、中間固定部５３と肌側シート１２とコアラップシート１５とは、厚さ方向の肌側から非肌側に向かって積層されている。この状態で接着剤がコアラップシート１５まで含浸している場合、肌側シート１２とコアラップシート１５とは互いに接合された状態となる。すなわち、コアラップシート１５が肌側シート１２によって固定された状態となる。これにより、コアラップシート１５に被覆された吸収性コア１１の型崩れや位置ずれが生じ難くなり、吸収性本体１０のフィット性や吸収性能を向上させることができる。
【００６６】
なお、厚さ方向において接着剤がコアラップシート１５まで含浸している場合であっても、該接着剤は、防漏壁部４０のうち吸収性コア１１（コアラップシート１５）よりも厚さ方向の非肌側の領域までは含浸していない。すなわち、接着剤は、図３において肌側シート１２の左右方向の両側部が吸収性コア１１を巻き込むように非肌側に折り返されている部分１２ｂｅと、厚さ方向において重複していない。当該部分１２ｂｅまで含浸するほどに接着剤が設けられていた場合、部分１２ｂｅの左右方向外側に接着剤が染み出して、着用者の身体や衣服に付着してしまうおそれがある。したがって、接着剤が吸収性コア１１（コアラップシート１５）よりも厚さ方向の非肌側まで含浸しないようにすることで、該接着剤の染み出しを抑制することができる。
【００６７】
また、中間固定部５３を形成する接着剤は、防漏壁部４０の肌側表面まで含浸していない。すなわち、接着剤は、図３において中間固定部５３の厚さ方向の肌側に積層されている非肌側部４３（防漏壁部４０）の肌側の表面と重複していないことが望ましい。防漏壁部４０の肌側表面まで接着剤が含浸していた場合、染み出した接着剤が着用者の身体に付着してしまうおそれがある。本実施形態では、防漏壁部４０を構成するシート部材１４が疎水性の不織布等によって構成され、接着剤が含浸し難い構造であるため、防漏壁部４０の肌側表面に接着剤が染み出してしまうことを抑制しやすくなっている。
【００６８】
また、本実施形態のおむつ１では、図５に示されるように、中間固定部５３の左右方向における長さ（幅）Ｗ５３が、肌側シート１２に設けられた圧搾部６０の左右方向におけるピッチＰ６０よりも長くなっている。すなわち、肌側シート１２において左右方向に隣り合う２以上の圧搾部６０，６０が、中間固定部５３を形成する接着剤によって固着されている。これにより、肌側シート１２から中間固定部５３を引き剥がす方向に力が作用した場合であっても、２カ所以上の圧搾部６０によって当該引き剥がす力に抗することができるようになる。したがって、肌側シート１２と中間固定部５３との接合強度をより高めることができる。
【００６９】
また、中間固定部５３は、左右方向において、防漏壁部４０の外側端（図３における折り曲げ位置ｆ３）から所定の距離ｇ53ｏだけ離れた位置に配置されている。言い換えると、左右方向において中間固定部５３と防漏壁部４０の外側端との間には所定の隙間（ｇ53ｏ）が設けられている。このような隙間が設けられていることにより、防漏壁部４０の左右方向外側端（エッジ）の硬さが軽減され、おむつ１着用時において着用者の身体（鼠径部）への肌当たりが柔らかくなる。したがって、より良好なフィット性を実現することができる。
【００７０】
また、中間固定部５３は、左右方向において、防漏壁部４０の内側端（図３における折り曲げ位置ｆ２）から所定の距離ｇ53ｉだけ離れた位置に配置されている。言い換えると、左右方向において、中間固定部５３と防漏壁部４０の内側端との間には隙間（ｇ53ｉ）が設けられている。これにより、中間固定部５３の全領域が防漏壁部４０（非肌側部４３）によって肌側から覆われ、中間固定部５３を形成する接着剤が外部に露出し難くなる。したがって、おむつ１の着用時において、露出した接着剤が着用者の身体や衣服に付着してしまうことを抑制することができる。
【００７１】
また、中間固定部５３の少なくとも一部は、左右方向において、吸収性コア１１のくびれ部１１Ｃと並び、かつ、くびれ部１１Ｃの外側に配置されている。つまり、上下方向におむつ１を展開かつ伸長した状態（図２）において、吸収性コア１１のくびれ部１１Ｃと、中間固定部５３の少なくとも一部とが、前後方向（吸収性本体１０の長手方向）に重複して配置されており、かつ、左右方向において、吸収性コア１１の側端１１ｅｓよりも外側に、中間固定部５３が配置されていると良い。
【００７２】
くびれ部１１Ｃでは、左右方向における幅が狭くなっている分、吸収性コア１１の吸収容量が小さくなっている。そこで、吸収性コア１１と重複しないように中間固定部５３を配置することにより、くびれ部１１Ｃの肌側面が防漏壁部４０及び中間固定部５３によって覆われてしまうことを抑制する。これにより、吸収性コア１１の吸収容量がさらに小さくなることを抑制し、吸収性コア１１の吸収能力を維持しやすくなる。よって、尿等の排泄物の漏れを抑制しやすくなる。
【００７３】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。
【００７４】
上記の実施形態では、腹側胴回り部２０と背側胴回り部３０が分離されて別部材であるおむつを例示したが、腹側胴回り部２０と背側胴回り部３０の間に股下部が設けられ、腹側胴回り部２０と背側胴回り部３０が連続した一部材であっても良い。
【００７５】
上記の実施形態では、シート部材１４を折り曲げることによって防漏壁部４０が形成されていた。すなわち、防漏壁部４０がシート部材１４と一体的に形成されていたが、この限りではない。例えば、シート部材１４とは異なる別体のシート部材によって防漏壁部４０が形成されるのであっても良い。
【符号の説明】
【００７６】
１  おむつ（吸収性物品）、
１０  吸収性本体、１１  吸収性コア、１１Ｃ  くびれ部、１１ｅｓ  側端、
１２  肌側シート、１２ｓ  端（肌側）、１２ｂ  端（非肌側）、１２ｂｅ  部分、
１３  非肌側シート、
１４  シート部材、１５  コアラップシート、
２０  腹側胴回り部、２１  内層シート、２２  外層シート、
２３  胴回り弾性部材、
３０  背側胴回り部、３１  内層シート、３２  外層シート、
３３  胴回り弾性部材、
３５  延出部弾性部材、３５１  傾斜部、３５２  直線部、
４０  防漏壁部、
４１  防漏壁伸縮部材（伸縮部材）、４２  肌側部、４３  非肌側部、
５１  前側固定部、５２  後側固定部、
５３  中間固定部、
６０  圧搾部、６０ｓ  端（肌側）、６０ｂ  端（非肌側）、
ＢＨ  胴回り開口部、ＬＨ  脚回り開口部
【図１】
2020000656.tif 000003
【図２】
2020000656.tif 000004
【図３】
2020000656.tif 000005
【図４】
2020000656.tif 000006
【図５】
2020000656.tif 000007
【図６】
2020000656.tif 000008
【図７】
2020000656.tif 000009